(57)【特許請求の範囲】
【請求項１】
サッシ枠に障子を移動自在に組付けた引違い窓等の引戸において、対向面側の磁極が互いに反発し合うのみの関係にした一方の永久磁石を前記サッシ枠側の縦枠に、他の一方の永久磁石を前記障子側の縦框に組付けた縦動駒にそれぞれ固着すると共に、前記他の一方の永久磁石を前記一方の永久磁石の対向位置にばね付勢に抗して配するための、障子開放の初動操作および障子移動兼用の操作ハンドルを前記縦動駒に突設した、障子開放装置。
【発明の詳細な説明】
【技術分野】
【０００１】
本発明は、サッシ枠に障子を移動自在に組付けた引違い窓、片引き窓等の引戸の障子開放装置に関するものである。
【背景技術】
【０００２】
障子を閉塞した状態にある引戸は障子が気密材を介してサッシ枠に密着した状態となり、障子開放操作の初期時にはこの密着状態から障子を自由にさせる必要がある。然しながら、近年の引戸の大型化などによる重量の増大が加わり、障子をサッシ枠見付け方向に動かすようにして見込み方向の密着状態を解放するには相当な腕力を要し、その改善が望まれていた。
【０００３】
このため、障子縦框側に操作レバーを装置し、該操作レバーを回動させることによって押圧部材をサッシ枠側の縦枠に圧接させて、すなわちてこを利用して障子開放初動操作を行うようにしたもの（例えば、特許文献１）や、障子縦框側に回動自在に装置した操作レバーに永久磁石を固着し、レバーの回動により該永久磁石を回動変位させて縦枠側に設けた永久磁石に対向させ、この対向時に両磁石間の磁極の相異による反発力を利用して前記初動操作を行うようにした構造のもの（例えば、特許文献２）がある。
【０００４】
【特許文献１】特許第３５１２８７７号公報
【特許文献２】特開２００３−２１４０１０号公報
【発明の開示】
【発明が解決しようとする課題】
【０００５】
前記の従来例中、前者の、てこを利用したものは、障子開放操作の都度、押圧部材が縦枠（の戸当り面）に押圧するため縦枠に損傷を与えることになり、また、押圧部材の縦枠との接触端が摩耗し、経時的には機能の劣化が予測され万全なものとはいえない。
【０００６】
また、後者の磁石の場合は、操作レバーに同軸にして枢着した円形状の磁石材の円周面に装置する一方、縦枠側には前記磁石材が係合する凹入面を設けてこれに縦框材の磁石の磁極と相反する磁極面とした磁石を装置した構成に係るから磁石間の大きな反発力を得るためにはその形状の関係から構造的に複雑で、凹入面に円周面（円形体）を係合する関係から前記磁石材は縦框（障子の戸先面）から突出させた状態に配置する必要があるから、特殊な障子にしか適用できないし、また、縦框からの突出部の存在は引戸の障子としては実用性が有るものとはいえない。
【０００７】
本発明は斯様な従来例の欠点に着目し、障子開放時の初動操作を確実に行える装置を提供することを目的として創案したものである。
【課題を解決するための手段】
【０００８】
サッシ枠に障子を移動自在に組付けた引違い窓等の引戸において、対向面側の磁極が互いに反発し合うのみの関係にした一方の永久磁石を前記サッシ枠側の縦枠に、他の一方の永久磁石を前記障子側の縦框に組付けた縦動駒にそれぞれ固着すると共に、前記他の一方の永久磁石を前記一方の永久磁石の対向位置にばね付勢に抗して配するための、障子開放の初動操作および障子移動兼用の操作ハンドルを前記縦動駒に突設した、構成としたものである。
【発明の効果】
【０００９】
本発明によれば、操作ハンドルによってばね付勢に抗して縦框側の縦動駒（の永久磁石）を縦枠側の永久磁石との対向面位置に上下方向に移動させるだけで永久磁石同士は互いに反発する状態になり、従って、縦框（障子）は縦枠位置から簡単に離れ、障子の開放時の初動操作を簡単に行え、また、初動操作のための操作ハンドルは障子移動用のものと兼ねているから、重量が嵩む等比較的腕力を必要とする障子の開放操作を円滑に行うことができる。
【００１０】
また、縦框側の永久磁石を縦動（縦動駒に設けてあることにより）させて縦枠側のものと相対するようにして用いるものであるから、永久磁石の対向（磁極）面を広くとることができ、従って、尚一層の大きな反発力を利用した障子開放装置を提供できる。
【００１１】
もとより、操作ハンドルから手先を離すと、縦框側の磁石は縦枠側のものから離開した位置に確実に移動し、障子閉塞状態を保持することができる。
【実施例】
【００１２】
図面は本発明に係る引戸の障子開放装置の実施例を示し、図１は第一実施例の一部欠截正面図、図２は図１の横断面図、図３は各部材の配置関係を示す略示正面図、図４は第二実施例の一部欠截正面図、図５は図４の横断面図、図６は第三実施例の横断面図、図７は第四実施例の横断面図である。
【００１３】
実施例は、サッシ枠１に内外の障子１２，１２´を組付けて構成した引違い窓の引戸に本発明を適用したものであるが、片引き窓等の他の引戸形態のものにも本発明を適用できるものである。そして、実施例は、サッシ枠１を構成する縦枠１ａ，１ａ側に永久磁石２を固着して配置する一方、該永久磁石２に対応する位置に移動できる他の永久磁石３を前記障子１２，１２´を構成する縦框４に設け、縦框４側の磁石３を縦枠１ａ側の磁石２との対向位置に移動させたとき、磁石３，２は、相対向面同士の磁極の相異によって反発し合い、これが障子１２，１２´に作用して縦框４が縦枠１ａより離れ、障子開放時の初期動作をするようにしたもので、縦框４（障子１２，１２´）側の永久磁石３は、縦框４に沿って上下に移動する縦動駒５の前記縦枠１ａ（の戸当り面）側に設け、縦動駒５の室内面側に突設した障子１２，１２´の開閉操作兼用の操作ハンドル６の操作により復帰ばね７の付勢に抗した縦動駒５に伴われて縦枠１ａ側の前記永久磁石２との対向位置に移動するようにしてある。
【００１４】
また、前記復帰ばね７は、前記縦框４の中空部４ａ内に嵌合して部片８´において縦框４にねじ１０で止着した上面側開口の、ほぼ溝形状の支持枠８内に嵌合させて縦框４に組合わせたもので、前記縦動駒５はその部片５´がこの復帰ばね７上に配することによりその付勢を受けて（付勢に抗して）支持枠８に沿って降下し、部片５´による復帰ばね７に対する押圧を開放することにより復帰ばね７の付勢により原位置に復帰する。
【００１５】
支持枠８は、中央部片８ａに一対の側部片８ｂ，８ｂを相対設した上面開口の、溝形状の主体部の前記中央部片８ａに前記部片８´を連設して構成し、部片８´において前記の通り縦框４にねじ１０で止着したものである。
【００１６】
内障子１２側は外障子１２´側と方向性を異にするだけで、残余の点は同構成を採るので、以下、外障子１２´の縦框４と縦枠１ａの関係において各実施例を説明し、内障子１２側は説明を省略することとする。
【００１７】
第一実施例
図１乃至図３で示す第一実施例は、縦框４の中空部４ａ内に平面視溝形状の前記縦動駒５を摺嵌し、該縦動駒５の戸先側の部片５ｂに中空部４ａに設けた窓口１１を通じてねじ１０Ａで止着した抱持片１３によって前記一方の永久磁石３を抱持させるようにして組付ける一方、縦枠１ａの戸当り部片１ａ´の外面に取付け枠１４を用いて前記永久磁石２を取付け、縦動駒５の中央部片５ａに前記中空部４ａの窓口を通じて取付けた前記操作ハンドル６の復帰ばね７の付勢に抗する操作によって、この永久磁石２の対向面に縦框４側の前記永久磁石３を移動させ、障子１２´の反発移動を行うようにしたものである。
【００１８】
第二実施例
図４および図５で示す第二実施例は、永久磁石３を第一実施例とほぼ同形の縦動駒５の戸先側部片５ｂに設けた窓口に係合するようにして縦動駒５内すなわち縦框４の前記中空部４ａ内に装置する一方、縦枠１ａ側の永久磁石２は縦枠１ａの戸当り部片１ａ´にねじ１０Ｂで止着した抱持片１３Ａで抱持させるようにして突設し、障子閉塞時に該磁石２が縦框４のひれ部片が成す溝内に係合するような構成にしたもので、縦動駒５に第一実施例と同構成にして取付けた操作ハンドル６の操作によって障子１２´の移動操作が行われる。
【００１９】
なお、その他の点は、同一符号で示すように第一実施例と同構成を採るものである。
【００２０】
第三、第四実施例
図６、図７で示す第三、第四の各実施例は、縦動駒５を、第一、第二の実施例の縦動駒５と同形にして縦框４の中空部４ａ内に納めた主体枠５Ａ（第一、第二実施例と同様にこれに復帰ばね７が作用する）と、該主体枠５Ａにねじ止めして縦框４の中空部４ａの室内端面に突設した補助枠５Ｂとで構成せしめ、該補助枠５Ｂに永久磁石３を縦枠１ａ側に永久磁石２をそれぞれ装置し、当該障子の案内レールから外れた位置で磁石２，３同士の反発を作用させ、障子の初期動作を行わせようとしたものである。
【００２１】
第三実施例の磁石２，３の縦枠１ａ又は縦框４に対する取付け手段（抱持片１３を用いる等の）は同符号で示す通り第一実施例と同構成を採り、同様に第四実施例は第二実施例と同構成を採るものである。
【００２２】
なお、第三、第四の各実施例は操作ハンドル６を補助枠５Ｂの出寸法分短くできるので、操作時に該ハンドル６に負荷されるモーメントを軽減できる。また、第四実施例は第二実施例と同様後付けが可能なので、ユーザーの要望に対応できる。
【図面の簡単な説明】
【００２３】
【図１】第一実施例の一部欠截正面図。
【図２】図１の横断面図。
【図３】各部材の配置関係を示す略示正面図。
【図４】第二実施例の一部欠截正面図。
【図５】図４の横断面図。
【図６】第三実施例の横断面図。
【図７】第四実施例の横断面図。
【符号の説明】
【００２４】
１ａ        縦枠
２，３      永久磁石
５          縦動駒
６          操作ハンドル
【図１】
0005216194.tif 000002
【図２】
0005216194.tif 000003
【図３】
0005216194.tif 000004
【図４】
0005216194.tif 000005
【図５】
0005216194.tif 000006
【図６】
0005216194.tif 000007
【図７】
0005216194.tif 000008